(57)【要約】移動通信端末にサービスを提供しているサービス提供装置がサービス停止状態になった場合、当該サービス提供装置と接続された管理装置にて、サービス停止状態になったサービス提供装置以外のサービス提供装置に対して、サービス停止状態になったサービス提供装置がサービスを提供していた移動通信端末のリソースの解放を指示する。
2009125679.tif 000002
【特許請求の範囲】
【請求項１】
無線基地局を介して無線通信機能を具備した移動通信端末に対して複数のサービスを提供する複数のサービス提供装置と、前記複数のサービス提供装置と接続された管理装置とを有する通信システムにおいて、
前記管理装置は、前記複数のサービス提供装置のいずれかがサービス停止状態にあるか否かを検出し、前記サービス停止状態になったサービス提供装置以外のサービス提供装置に対して、前記サービス停止状態になったサービス提供装置がサービスを提供していた移動通信端末のリソースの解放を指示することを特徴とする通信システム。
【請求項２】
請求項１に記載の通信システムにおいて、
前記管理装置は、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を格納する管理テーブルと、
前記サービス提供装置がサービス停止状態にあるかどうかを監視する障害監視部と、
前記障害監視部にてサービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索する検索部と、
前記検索されたＭＳ識別情報が付与された移動通信端末のリソースを解放する指示である解放指示信号を作成する解放指示信号作成部と、
前記解放指示信号を前記検索されたＡＳＮ−ＧＷ識別情報が付与されたサービス提供装置へ送信する第１の通信部とを有し、
前記サービス提供装置は、
前記解放指示信号を受信した場合、該解放指示信号にて指示された移動通信端末のリソースを解放するリソース管理部を有することを特徴とする通信システム。
【請求項３】
請求項２に記載の通信システムにおいて、
前記サービス提供装置は、
前記サービスを提供するサービス提供部と、
前記サービス提供部がサービス停止状態になったことを検出する障害検出部と、
サービス停止状態になったことを前記障害検出部が検出した場合、当該サービス提供装置に付与されたＡＳＮ−ＧＷ識別情報を含む、前記障害が発生した旨を示す障害発生信号を作成する障害発生信号作成部と、
前記障害発生信号を前記管理装置へ送信する第２の通信部とを有し、
前記管理装置は、
前記サービス提供装置から送信されてきた前記障害発生信号から前記ＡＳＮ−ＧＷ識別情報を抽出する識別情報抽出部を有し、
前記検索部は、前記抽出されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索することを特徴とする通信システム。
【請求項４】
請求項３に記載の通信システムにおいて、
前記サービス提供部は、前記移動通信端末に対して、前記移動通信端末が通信するためのデータの経路となるサービスと、前記移動通信端末の情報を管理するサービスと、前記移動通信端末の認証処理を行うサービスとを、提供することを特徴とする通信システム。
【請求項５】
請求項２乃至４のいずれか１項に記載の通信システムにおいて、
前記管理装置は、前記サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記サービス提供装置から所定のタイミングで取得し、前記ＭＳ管理情報に基づいて前記処理対応付け情報を作成し、該処理対応付け情報を前記管理テーブルに格納することを特徴とする通信システム。
【請求項６】
請求項２乃至４のいずれか１項に記載の通信システムにおいて、
前記サービス提供装置は、当該サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記管理装置へ所定のタイミングで送信し、
前記管理装置は、前記サービス提供装置から送信されてきたＭＳ管理情報に基づいて前記処理対応付け情報を作成し、該処理対応付け情報を前記管理テーブルに格納することを特徴とする通信システム。
【請求項７】
無線基地局を介して無線通信機能を具備した移動通信端末に対して複数のサービスを提供する複数のサービス提供装置を管理する管理装置であって、
前記複数のサービス提供装置のいずれかがサービス停止状態にあるか否かを検出し、前記サービス停止状態になったサービス提供装置以外のサービス提供装置に対して前記サービス停止状態になったサービス提供装置がサービスを提供していた移動通信端末のリソースの解放を指示する管理装置。
【請求項８】
請求項７に記載の管理装置において、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を格納する管理テーブルと、
前記サービス提供装置がサービス停止状態にあるかどうかを監視する障害監視部と、
前記障害監視部にてサービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索する検索部と、
前記検索されたＭＳ識別情報が付与された移動通信端末のリソースを解放する指示である解放指示信号を作成する解放指示信号作成部と、
前記解放指示信号を前記検索されたＡＳＮ−ＧＷ識別情報が付与されたサービス提供装置へ送信する通信部とを有することを特徴とする管理装置。
【請求項９】
請求項８に記載の管理装置において、
前記サービス提供装置から該サービス提供装置に付与されたＡＳＮ−ＧＷ識別情報を含む障害発生信号が送信されてきた場合、前記障害発生信号から前記ＡＳＮ−ＧＷ識別情報を抽出する識別情報抽出部を有し、
前記検索部は、前記抽出されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索することを特徴とする管理装置。
【請求項１０】
請求項８または請求項９に記載の管理装置において、
前記サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記サービス提供装置から所定のタイミングで取得し、前記ＭＳ管理情報に基づいて前記処理対応付け情報を作成し、該処理対応付け情報を前記管理テーブルに格納することを特徴とする管理装置。
【請求項１１】
無線基地局を介して無線通信機能を具備した移動通信端末に対して複数のサービスを提供する複数のサービス提供装置を管理する管理方法であって、
前記複数のサービス提供装置のいずれかがサービス停止状態にあるか否かを検出するステップと、
前記サービス停止状態になったサービス提供装置以外のサービス提供装置に対して前記サービス停止状態になったサービス提供装置がサービスを提供していた移動通信端末のリソースの解放を指示するステップとを有する管理方法。
【請求項１２】
請求項１１に記載の管理方法において、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を管理テーブルに格納するステップと、
前記サービス提供装置がサービス停止状態にあるかどうかを監視するステップと、
サービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索するステップと、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索するステップと、
前記検索されたＭＳ識別情報が付与された移動通信端末のリソースを解放する指示である解放指示信号を作成するステップと、
前記解放指示信号を前記検索されたＡＳＮ−ＧＷ識別情報が付与されたサービス提供装置へ送信するステップとを有することを特徴とする管理方法。
【請求項１３】
請求項１２に記載の管理方法において、
前記サービス提供装置から該サービス提供装置に付与されたＡＳＮ−ＧＷ識別情報を含む障害発生信号が送信されてきた場合、前記障害発生信号から前記ＡＳＮ−ＧＷ識別情報を抽出するステップと、
前記抽出されたＡＳＮ−ＧＷ識別情報に基づいて、該ＡＳＮ−ＧＷ識別情報と対応付けられたＭＳ識別情報を前記管理テーブルの中から検索するステップと、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索するステップとを有することを特徴とする管理方法。
【請求項１４】
請求項１２または請求項１３に記載の管理方法において、
前記サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記サービス提供装置から所定のタイミングで取得するステップと、
前記ＭＳ管理情報に基づいて前記処理対応付け情報を作成するステップと、
前記処理対応付け情報を前記管理テーブルに格納するステップとを有することを特徴とする管理方法。
【請求項１５】
無線基地局を介して無線通信機能を具備した移動通信端末に対して複数のサービスを提供する複数のサービス提供装置を管理する管理装置に、
前記複数のサービス提供装置のいずれかがサービス停止状態にあるか否かを検出する手順と、
前記サービス停止状態になったサービス提供装置以外のサービス提供装置に対して前記サービス停止状態になったサービス提供装置がサービスを提供していた移動通信端末のリソースの解放を指示する手順とを実行させるためのプログラム。
【請求項１６】
請求項１５に記載のプログラムにおいて、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を当該管理装置が具備する管理テーブルに格納する手順と、
前記サービス提供装置がサービス停止状態にあるかどうかを監視する手順と、
サービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索する手順と、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索する手順と、
前記検索されたＭＳ識別情報が付与された移動通信端末のリソースを解放する指示である解放指示信号を作成する手順と、
前記解放指示信号を前記検索されたＡＳＮ−ＧＷ識別情報が付与されたサービス提供装置へ送信する手順とを当該管理装置に実行させるためのプログラム。
【請求項１７】
請求項１６に記載のプログラムにおいて、
前記サービス提供装置から該サービス提供装置に付与されたＡＳＮ−ＧＷ識別情報を含む障害発生信号が送信されてきた場合、前記障害発生信号から前記ＡＳＮ−ＧＷ識別情報を抽出する手順と、
前記抽出されたＡＳＮ−ＧＷ識別情報に基づいて、該ＡＳＮ−ＧＷ識別情報と対応付けられたＭＳ識別情報を前記管理テーブルの中から検索する手順と、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索する手順とを当該管理装置に実行させるためのプログラム。
【請求項１８】
請求項１６または請求項１７に記載のプログラムにおいて、
前記サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記サービス提供装置から所定のタイミングで取得する手順と、
前記ＭＳ管理情報に基づいて前記処理対応付け情報を作成する手順と、
前記処理対応付け情報を前記管理テーブルに格納する手順とを当該管理装置に実行させるためのプログラム。
【発明の詳細な説明】
【技術分野】
【０００１】
本発明は、移動端末に対して複数のサービスを提供する通信システム、管理装置、管理方法およびプログラムに関する。
【背景技術】
【０００２】
近年注目されているＷｉＭＡＸ（Ｗｏｒｌｄｗｉｄ  Ｉｎｔｅｒｏｐｅｒａｂｉｌｉｔｙ  ｆｏｒ  Ｍｉｃｒｏｗａｖｅ  Ａｃｃｅｓｓ）技術を移動体通信に適用したＭｏｂｉｌｅ  ＷｉＭＡＸシステムには、基地局であるＢＳ（Ｂａｓｅ  Ｓｔａｔｉｏｎ）を介して移動局であるＭＳ（Ｍｏｂｉｌｅ  Ｓｔａｔｉｏｎ）に対してサービスを提供するサービス提供装置であるＡＳＮ−ＧＷ（Ａｃｃｅｓｓ  Ｓｅｒｖｉｃｅ  Ｎｅｔｗｏｒｋ  Ｇａｔｅｗａｙ）が存在する。このＡＳＮ−ＧＷは、例えば、文献「ＷｉＭＡＸ  Ｆｏｒｕｍ  Ｎｅｔｗｏｒｋ  Ａｒｃｈｉｔｅｃｔｕｒｅ−Ｓｔａｇｅ３−Ｄｅｔａｉｌｅｄ  Ｐｒｏｔｏｃｏｌｓ  ａｎｄ  Ｐｒｏｃｅｄｕｒｅｓ−Ｒｅｌｅａｓｅ１．１．１  Ｓｅｐｔｅｍｂｅｒ  １４，２００７」に開示されている。このＡＳＮ−ＧＷは、ＭＳの情報を管理するＳｅｒｖｉｎｇ機能と、ＭＳが通信するためのデータの経路（パス）となるＡｎｃｈｏｒ機能と、ＭＳの認証処理を行うＡｕｔｈｅｎｔｉｃａｔｏｒ機能との３つの論理的な機能を有する。これらの機能は、ＭＳがエントリしたＢＳに接続されたＡＳＮ−ＧＷで実行されるものである。【０００３】
しかしながら、ＭＳが移動することにより、上述した３つの論理的機能が、物理的に複数のＡＳＮ−ＧＷに分散される場合がある。例えば、ＭＳが移動することにより、複数のＡＳＮ−ＧＷを跨ぐようなハンドオーバ（Ｒ４ＨＯ：Ｒｅｆｅｒｅｎｃｅ−Ｐｏｉｎｔ  ４  Ｈａｎｄ  Ｏｖｅｒ）が実施された後や、Ｒ４ＨＯ後の再認証が実施された後等に３つの論理的機能が、複数のＡＳＮ−ＧＷに分散される場合がある。【０００４】
ここで、任意のＭＳ（以下、ＭＳＡとする）に対する３つの論理的機能が、物理的に３つのＡＳＮ−ＧＷ（Ｓｅｒｖｉｎｇ機能を実施するＡＳＮ−ＧＷ１、Ａｕｔｈｅｎｔｉｃａｔｏｒ機能を実施するＡＳＮ−ＧＷ２、およびＡｎｃｈｏｒ機能を実施するＡＳＮ−ＧＷ３）に分散された場合を例に挙げる。【０００５】
このような状態において、例えば、ＡＳＮ−ＧＷ１がサービス停止状態に陥った場合、ＷｉＭＡＸ網としてＭＳＡに対してサービスを提供することはできない。しかしながら、ＡＳＮ−ＧＷ２およびＡＳＮ−ＧＷ３は、ＡＳＮ−ＧＷ１がサービス停止状態に陥ったことを検知することができず、それにより、ＭＳＡに対してサービスを提供することができないことも検知することができない。そのため、ＷｉＭＡＸ網としてＭＳＡに対してサービスを提供することはできないにもかかわらず、ＡＳＮ−ＧＷ２およびＡＳＮ−ＧＷ３においては、ＭＳＡの情報を管理し続けてしまう。これにより、無駄なリソースの確保が生じてしまうという問題点がある。
【発明の開示】
【０００６】
本発明の目的は、上述した課題を解決する通信システム、管理装置、管理方法およびプログラムを提供することである。
【０００７】
上記目的を達成するために本発明は、
無線基地局を介して無線通信機能を具備した移動通信端末に対して複数のサービスを提供する複数のサービス提供装置と、前記複数のサービス提供装置と接続された管理装置とを有する通信システムにおいて、
前記管理装置は、前記複数のサービス提供装置のいずれかがサービス停止状態にあるか否かを検出し、前記サービス停止状態になったサービス提供装置以外のサービス提供装置に対して、前記サービス停止状態になったサービス提供装置がサービスを提供していた移動通信端末のリソースの解放を指示することを特徴とする。
【０００８】
また、無線基地局を介して無線通信機能を具備した移動通信端末に対して複数のサービスを提供する複数のサービス提供装置を管理する管理装置であって、
前記複数のサービス提供装置のいずれかがサービス停止状態にあるか否かを検出し、前記サービス停止状態になったサービス提供装置以外のサービス提供装置に対して前記サービス停止状態になったサービス提供装置がサービスを提供していた移動通信端末のリソースの解放を指示する。
【０００９】
また、無線基地局を介して無線通信機能を具備した移動通信端末に対して複数のサービスを提供する複数のサービス提供装置を管理する管理方法であって、
前記複数のサービス提供装置のいずれかがサービス停止状態にあるか否かを検出するステップと、
前記サービス停止状態になったサービス提供装置以外のサービス提供装置に対して前記サービス停止状態になったサービス提供装置がサービスを提供していた移動通信端末のリソースの解放を指示するステップとを有する。
【００１０】
また、無線基地局を介して無線通信機能を具備した移動通信端末に対して複数のサービスを提供する複数のサービス提供装置を管理する管理装置に実行させるプログラムであって、
前記複数のサービス提供装置のいずれかがサービス停止状態にあるか否かを検出する手順と、
前記サービス停止状態になったサービス提供装置以外のサービス提供装置に対して前記サービス停止状態になったサービス提供装置がサービスを提供していた移動通信端末のリソースの解放を指示する手順とを実行させる。
【００１１】
以上説明したように本発明においては、移動通信端末にサービスを提供しているサービス提供装置のいずれかがサービス停止状態にあるか否かを検出し、サービス停止状態になったサービス提供装置以外のサービス提供装置に対して、サービス停止状態になったサービス提供装置がサービスを提供していた移動通信端末のリソースの解放を指示する構成としたため、リソースの枯渇のリスクを軽減することができる。
【図面の簡単な説明】
【００１２】
【図１】本発明の通信システムの実施の一形態を示す図である。
【００１３】
【図２】図１に示したＡＳＮ−ＧＷの内部構成の一例を示す図である。
【００１４】
【図３】図１に示したＡＳＮ−ＧＷの管理テーブルに格納されたＭＳ管理情報の一例を示す図である。
【００１５】
【図４】図１に示したＡＳＮ−ＧＷの管理テーブルに格納されたＭＳ管理情報の一例を示す図である。
【００１６】
【図５】図１に示したＡＳＮ−ＧＷの管理テーブルに格納されたＭＳ管理情報の一例を示す図である。
【００１７】
【図６】図１に示した管理装置の内部構成の一例を示す図である。
【００１８】
【図７】図６に示した管理テーブルに格納された処理対応付け情報の一例を示す図である。
【００１９】
【図８】１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷの状態遷移の第１の例を示す図である。
【００２０】
【図９】１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷの状態遷移の第２の例を示す図である。
【００２１】
【図１０】１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷの状態遷移の第３の例を示す図である。
【００２２】
【図１１】１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷの状態遷移の第４の例を示す図である。
【００２３】
【図１２】図１に示したＡＳＮ−ＧＷにおける障害発生通知処理の一例を説明するためのフローチャートである。
【００２４】
【図１３】図１に示した管理装置におけるＡＳＮ−ＧＷの管理方法の一例を説明するためのフローチャートである。
【００２５】
【図１４】図１に示したＡＳＮ−ＧＷにおけるリソース解放処理の一例を説明するためのフローチャートである。
【００２６】
【図１５】図１に示した管理装置の内部構成の他の例を示す図である。
【００２７】
【図１６】図１に示した管理装置におけるＡＳＮ−ＧＷの管理方法の他の例を説明するためのフローチャートである。
【発明を実施するための最良の形態】
【００２８】
以下に、本発明の実施の形態について図面を参照して説明する。【００２９】
図１は、本発明の通信システムの実施の一形態を示す図である。【００３０】
本形態は図１に示すように、管理装置１０１と、ＡＳＮ−ＧＷ２０１−１〜２０１−ｎと、ＢＳ３０１−１１〜ＢＳ３０１−１ｖと、ＢＳ３０１−２１〜ＢＳ３０１−２ｗと、ＢＳ３０１−３１〜ＢＳ３０１−３ｘと、ＢＳ３０１−４１〜ＢＳ３０１−４ｙと、ＢＳ３０１−ｎ１〜ＢＳ３０１−ｎｚとから構成されている。ここで、ｎ，ｖ，ｗ，ｘ，ｙおよびｚは、任意の自然数であり、特にｎは２以上の任意の自然数である。また、無線通信機能を有する移動通信端末であるＭＳ４０１−１〜４０１−３が存在している。なお、図１には、ＭＳ４０１−１〜４０１−３の数が３つの場合を図示しているが、その数については限定しない。【００３１】
管理装置１０１は、ＡＳＮ−ＧＷ２０１−１〜２０１−ｎと接続され、ＡＳＮ−ＧＷ２０１−１〜２０１−ｎを管理する。【００３２】
ＡＳＮ−ＧＷ２０１−１〜２０１−ｎは、ＢＳ３０１−１１〜ＢＳ３０１−１ｖ，ＢＳ３０１−２１〜ＢＳ３０１−２ｗ，ＢＳ３０１−３１〜ＢＳ３０１−３ｘ，ＢＳ３０１−４１〜ＢＳ３０１−４ｙ，ＢＳ３０１−ｎ１〜ＢＳ３０１−ｎｚを介してＭＳ４０１−１〜４０１−３に対する処理を行うＷｉＭＡＸ網に設けられたサービス提供装置である
ＢＳ３０１−１１〜ＢＳ３０１−１ｖは、ＡＳＮ−ＧＷ２０１−１と接続された無線基地局である。【００３３】
ＢＳ３０１−２１〜ＢＳ３０１−２ｗは、ＡＳＮ−ＧＷ２０１−２と接続された無線基地局である。【００３４】
ＢＳ３０１−３１〜ＢＳ３０１−３ｘは、ＡＳＮ−ＧＷ２０１−３と接続された無線基地局である。【００３５】
ＢＳ３０１−４１〜ＢＳ３０１−４ｙは、ＡＳＮ−ＧＷ２０１−４と接続された無線基地局である。【００３６】
ＢＳ３０１−ｎ１〜ＢＳ３０１−ｎｚは、ＡＳＮ−ＧＷ２０１−ｎと接続された無線基地局である。【００３７】
以下に、図１に示したＡＳＮ−ＧＷ２０１−１〜２０１−ｎの内部構成について説明する。【００３８】
図２は、図１に示したＡＳＮ−ＧＷ２０１−１の内部構成の一例を示す図である。【００３９】
図１に示したＡＳＮ−ＧＷ２０１−１には図２に示すように、サービス提供部２１１と、障害検出部２１２と、障害発生信号作成部２１３と、通信部２１４と、管理テーブル２１５と、管理テーブル更新部１１６と、リソース管理部２１７とが設けられている。【００４０】
サービス提供部２１１は、ＢＳ３０１−１１〜ＢＳ３０１−１ｖを介してＭＳ４０１−１〜４０１−３へ所定のサービスを提供する。ここでは、サービス（機能）として、ＭＳ４０１−１〜４０１−３が通信するためのデータの経路（パス）となるＡｎｃｈｏｒ機能と、ＭＳ４０１−１〜４０１−３の情報を管理するＳｅｒｖｉｎｇ機能と、ＭＳ４０１−１〜４０１−３の認証処理を行うＡｕｔｈｅｎｔｉｃａｔｏｒ機能とが提供される。【００４１】
障害検出部２１２は、サービス提供部２１１でサービスを提供することができない障害が発生したことを検出する。この検出方法は、一般的に行われる障害検出方法を用いるものであれば良く、サービス提供部２１１がＢＳ３０１−１１〜ＢＳ３０１−１ｖを介してＭＳ４０１−１〜４０１−３へ送信すべき信号が送信されていないことを検出することによるものであっても良い。また、サービス提供部２１１にて実行される処理を監視し、その処理のうち少なくとも１つの処理が停止していることを検出することによるものであっても良い。障害検出部２１２は、サービス提供部２１１で障害が発生した、つまりサービス提供部２１１からのサービス提供が停止になったことを検出すると、その旨を障害発生信号作成部２１３へ通知する。【００４２】
障害発生信号作成部２１３は、障害検出部２１２からサービス提供部２１１で障害が発生した、つまりサービス停止状態になったことが通知された場合、障害発生信号を作成する。この障害発生信号は、管理装置１０１にて認識することができる信号であれば良く、信号形式についてはここでは特に規定しない。なお、障害発生信号には、ＡＳＮ−ＧＷ２０１−１を識別可能に固有に付与されたＡＳＮ−ＧＷ識別情報が含まれる。障害発生信号作成部２１３は、障害発生信号を作成すると、作成した障害発生信号を通信部２１４へ出力する。【００４３】
通信部２１４は、管理装置１０１やＡＳＮ−ＧＷ２０２−２〜２０２−ｎとの間にて通信を行う第２の通信部である。通信部２１４は、障害発生信号作成部２１３から出力されてきた障害発生信号を管理装置１０１へ送信する。また、管理テーブル２１５に格納されているＭＳ管理情報を、管理テーブル更新部２１６を介して管理装置１０１へあらかじめ設定されたタイミングで送信する。また、ＭＳ４０１−１〜４０１−３のモビリティにより、管理テーブル２１５に格納されているＭＳ管理情報が更新された場合、そのＭＳ管理情報をＡＳＮ−ＧＷ２０１−２〜２０１−ｎへ送信する。また、ＡＳＮ−ＧＷ２０１−２〜２０１−ｎから送信されてきたＭＳ管理情報を管理テーブル更新部２１６へ出力する。【００４４】
管理テーブル２１５は、ＡＳＮ−ＧＷ２０１−１がサービスを提供している（配下に管理している、リソースを確保している）ＭＳを管理するためのＭＳ管理情報を格納する。ここでリソースとは、ある処理を行うために必要なメモリの領域である。また、ＣＰＵの処理領域である。【００４５】
図３は、図１に示したＡＳＮ−ＧＷ２０１−１の管理テーブル２１５に格納されたＭＳ管理情報の一例を示す図である。【００４６】
図１に示したＡＳＮ−ＧＷ２０１−１の管理テーブル２１５には図３に示すように、ＡＳＮ−ＧＷ２０１−１がサービスを提供している（配下に管理している）ＭＳ識別情報と、当該ＭＳが通信するためのデータの経路（パス）となるＡｎｃｈｏｒ機能を果たすＡｎｃｈｏｒ  ＡＳＮ−ＧＷの識別情報と、当該ＭＳの情報を管理するＳｅｒｖｉｎｇ機能を果たすＳｅｒｖｉｎｇ  ＡＳＮ−ＧＷの識別情報と、当該ＭＳの認証処理を行うＡｕｔｈｅｎｔｉｃａｔｏｒ機能を果たすＡｕｔｈｅｎｔｉｃａｔｏｒ  ＡＳＮ−ＧＷの識別情報とが対応付けられて格納されている。なお、図３に示したうち、太線で囲った部分がＡＳＮ−ＧＷ２０１−１が提供を現時点で担当している機能である。【００４７】
例えば、ＭＳ識別情報ＭＳ４０１−１と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−３とが対応付けられて格納されている。これは、ＭＳ４０１−１に対してＡＳＮ−ＧＷ２０１−１がＡｎｃｈｏｒ機能を果たし、またＡＳＮ−ＧＷ２０１−２がＳｅｒｖｉｎｇ機能を果たし、またＡＳＮ−ＧＷ２０１−３がＡｕｔｈｅｎｔｉｃａｔｏｒ機能を果たすものである旨を示している。また、ＭＳ識別情報ＭＳ４０１−２と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−１と、Ａｕｔｈｅｎｔｉｃａｔｏｒ  ＡＳＮ−ＧＷ識別情報ＡＳＮ−ＧＷ２０１−１とが対応付けられて格納されている。これは、ＭＳ４０１−１に対してＡＳＮ−ＧＷ２０１−１がＡｎｃｈｏｒ機能、Ｓｅｒｖｉｎｇ機能およびＡｕｔｈｅｎｔｉｃａｔｏｒ機能を果たすものである旨を示している。また、ＭＳ識別情報ＭＳ４０１−３と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−２とが対応付けられて格納されている。これは、ＭＳ４０１−３に対してＡＳＮ−ＧＷ２０１−１がＡｎｃｈｏｒ機能を果たし、またＡＳＮ−ＧＷ２０１−２がＳｅｒｖｉｎｇ機能およびＡｕｔｈｅｎｔｉｃａｔｏｒ機能を果たすものである旨を示している。【００４８】
このＭＳ管理情報により、ＡＳＮ−ＧＷ２０１−１は、ＡＳＮ−ＧＷ２０１−１がサービスを提供している（配下に管理している）ＭＳ（図３おいてはＭＳ４０１−１〜４０１−３）に対して、ＡＳＮ−ＧＷ２０１−１が提供していない機能をどのＡＳＮ−ＧＷ２０１−２〜２０１−ｎが提供しているかを認識（管理）することができる。【００４９】
図４は、図１に示したＡＳＮ−ＧＷ２０１−２の管理テーブル２１５に格納されたＭＳ管理情報の一例を示す図である。【００５０】
図１に示したＡＳＮ−ＧＷ２０１−２の管理テーブル２１５には図４に示すように、ＡＳＮ−ＧＷ２０１−２がサービスを提供している（配下に管理している）ＭＳ識別情報と、当該ＭＳが通信するためのデータの経路（パス）となるＡｎｃｈｏｒ機能を果たすＡｎｃｈｏｒ  ＡＳＮ−ＧＷの識別情報と、当該ＭＳの情報を管理するＳｅｒｖｉｎｇ機能を果たすＳｅｒｖｉｎｇ  ＡＳＮ−ＧＷの識別情報と、当該ＭＳの認証処理を行うＡｕｔｈｅｎｔｉｃａｔｏｒ機能を果たすＡｕｔｈｅｎｔｉｃａｔｏｒ  ＡＳＮ−ＧＷの識別情報とが対応付けられて格納されている。なお、図４に示したうち、太線で囲った部分がＡＳＮ−ＧＷ２０１−２が提供を現時点で担当している機能である。【００５１】
例えば、ＭＳ識別情報ＭＳ４０１−１と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−３とが対応付けられて格納されている。これは、ＭＳ４０１−１に対してＡＳＮ−ＧＷ２０１−１がＡｎｃｈｏｒ機能を果たし、またＡＳＮ−ＧＷ２０１−２がＳｅｒｖｉｎｇ機能を果たし、またＡＳＮ−ＧＷ２０１−３がＡｕｔｈｅｎｔｉｃａｔｏｒ機能を果たすものである旨を示している。また、ＭＳ識別情報ＭＳ４０１−３と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−２とが対応付けられて格納されている。これは、ＭＳ４０１−３に対してＡＳＮ−ＧＷ２０１−１がＡｎｃｈｏｒ機能を果たし、またＡＳＮ−ＧＷ２０１−２がＳｅｒｖｉｎｇ機能およびＡｕｔｈｅｎｔｉｃａｔｏｒ機能を果たすものである旨を示している。【００５２】
このＭＳ管理情報により、ＡＳＮ−ＧＷ２０１−２は、ＡＳＮ−ＧＷ２０１−２がサービスを提供している（配下に管理している）ＭＳ（図４おいてはＭＳ４０１−１，４０１−３）に対して、ＡＳＮ−ＧＷ２０１−２が提供していない機能をどのＡＳＮ−ＧＷ２０１−１，２０１−３〜２０１−ｎが提供しているかを認識（管理）することができる。【００５３】
図５は、図１に示したＡＳＮ−ＧＷ２０１−３の管理テーブル２１５に格納されたＭＳ管理情報の一例を示す図である。【００５４】
図１に示したＡＳＮ−ＧＷ２０１−３の管理テーブル２１５には図５に示すように、ＡＳＮ−ＧＷ２０１−３がサービスを提供している（配下に管理している）ＭＳ識別情報と、当該ＭＳが通信するためのデータの経路（パス）となるＡｎｃｈｏｒ機能を果たすＡｎｃｈｏｒ  ＡＳＮ−ＧＷの識別情報と、当該ＭＳの情報を管理するＳｅｒｖｉｎｇ機能を果たすＳｅｒｖｉｎｇ  ＡＳＮ−ＧＷの識別情報と、当該ＭＳの認証処理を行うＡｕｔｈｅｎｔｉｃａｔｏｒ機能を果たすＡｕｔｈｅｎｔｉｃａｔｏｒ  ＡＳＮ−ＧＷの識別情報とが対応付けられて格納されている。なお、図５に示したうち、太線で囲った部分がＡＳＮ−ＧＷ２０１−３が提供を現時点で担当している機能である。【００５５】
例えば、ＭＳ識別情報ＭＳ４０１−１と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−３とが対応付けられて格納されている。これは、ＭＳ４０１−１に対してＡＳＮ−ＧＷ２０１−１がＡｎｃｈｏｒ機能を果たし、またＡＳＮ−ＧＷ２０１−２がＳｅｒｖｉｎｇ機能を果たし、またＡＳＮ−ＧＷ２０１−３がＡｕｔｈｅｎｔｉｃａｔｏｒ機能を果たすものである旨を示している。【００５６】
このＭＳ管理情報により、ＡＳＮ−ＧＷ２０１−３は、ＡＳＮ−ＧＷ２０１−３がサービスを提供している（配下に管理している）ＭＳ（図５おいてはＭＳ４０１−１）に対して、ＡＳＮ−ＧＷ２０１−３が提供していない機能をどのＡＳＮ−ＧＷ２０１−１，２０１−２，２０１−４〜２０１−ｎが提供しているかを認識（管理）することができる。【００５７】
なお、図３〜５に示したＭＳ管理情報は、ＭＳ４０１−１〜４０１−３にて異なるＡＳＮ−ＧＷを跨ぐようなハンドオーバ（Ｒ４ＨＯ）が実施された後や、Ｒ４ＨＯ後の再認証が実施された後等、各ＡＳＮ−ＧＷ２０１−１〜２０１−ｎがそれぞれ果たす機能（役割）に変更が生じた際に、あらかじめ設定されたタイミングでＡＳＮ−ＧＷ２０１−１〜２０１−ｎ間で互いに通知されるものである。【００５８】
管理テーブル更新部２１６は、必要に応じて管理テーブル２１５に格納されているＭＳ管理情報を更新する。例えば、ＡＳＮ−ＧＷ２０１−２〜２０１−ｎから通信部２１４を介してＭＳ管理情報が送信されてきた場合、送信されてきたＭＳ管理情報に基づいて管理テーブル２１５を更新する。また、ＭＳ４０１−１〜４０１−３のモビリティにより、ＭＳ４０１−１〜４０１−３に対して提供する機能に変更があった場合、管理テーブル２１５を更新する。また、必要に応じて管理テーブル２１５に格納されたＭＳ管理情報を読み出し、通信部２１４を介して管理装置１０１へ送信する。【００５９】
リソース管理部２１７は、ＡＳＮ−ＧＷ２０１−１がサービスを提供しているＭＳ４０１−１〜４０１−３のリソースを管理する。【００６０】
なお、図１に示したＡＳＮ−ＧＷ２０１−２〜２０１−ｎの内部構成についても、上述したＡＳＮ−ＧＷ２０１−１の内部構成と同じである。【００６１】
以下に、図１に示した管理装置１０１の内部構成について説明する。【００６２】
図６は、図１に示した管理装置１０１の内部構成の一例を示す図である。【００６３】
図１に示した管理装置１０１には図６に示すように、通信部１１１と、検索部１１２と、管理テーブル１１３と、解放指示信号作成部１１４と、識別情報抽出部１１５とが設けられている。【００６４】
通信部１１１は、図１に示したＡＳＮ−ＧＷ２０１−１〜２０１−ｎとの間にて通信を行う第１の通信部である。【００６５】
識別情報抽出部１１５は、ＡＳＮ−ＧＷ２０１−１〜２０１−ｎから送信され、通信部１１１にて受信した障害発生信号から、ＡＳＮ−ＧＷ２０１−１〜２０１−ｎそれぞれに固有に付与されたＡＳＮ−ＧＷ識別情報を抽出する。抽出したＡＳＮ−ＧＷ識別情報を検索部１１２へ出力する。【００６６】
検索部１１２は、識別情報抽出部１１５から出力されたＡＳＮ−ＧＷ識別情報に基づいて、管理テーブル１１３の中から障害が発生したＡＳＮ−ＧＷが処理を行っているＭＳおよび当該ＭＳに対して他の処理を行っているＡＳＮ−ＧＷを検索する。【００６７】
管理テーブル１１３は、ＭＳ４０１−１〜４０１−３それぞれに固有に付与されたＭＳ識別情報とＭＳ４０１−１〜４０１−３を処理するＡＳＮ−ＧＷ２０１−１〜２０１−ｎそれぞれに固有に付与されたＡＳＮ−ＧＷ識別情報とを対応付けた処理対応付け情報を格納する。【００６８】
この処理対応付け情報は、ＡＳＮ−ＧＷ２０１−１〜２０１−ｎの管理テーブル２１５に格納されているＭＳ管理情報に基づいて作成される情報である。【００６９】
管理装置１０１が起動した際に、これらのＭＳ管理情報が管理装置１０１によってＡＳＮ−ＧＷ２０１−１〜２０１−ｎから読み取られ、読み取られたＭＳ管理情報に基づいて、処理対応付け情報が作成され、管理テーブル１１３に格納される。【００７０】
図７は、図６に示した管理テーブル１１３に格納された処理対応付け情報の一例を示す図である。【００７１】
図６に示した管理テーブル１１３には図７に示すように、ＭＳ識別情報と、当該ＭＳが通信するためのデータの経路（パス）となるＡｎｃｈｏｒ機能を果たすＡｎｃｈｏｒ  ＡＳＮ−ＧＷの識別情報と、当該ＭＳの情報を管理するＳｅｒｖｉｎｇ機能を果たすＳｅｒｖｉｎｇ  ＡＳＮ−ＧＷの識別情報と、当該ＭＳの認証処理を行うＡｕｔｈｅｎｔｉｃａｔｏｒ機能を果たすＡｕｔｈｅｎｔｉｃａｔｏｒ  ＡＳＮ−ＧＷの識別情報とが対応付けられて格納されている。【００７２】
例えば、ＭＳ識別情報ＭＳ４０１−１と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−３とが対応付けられて格納されている。これは、ＭＳ４０１−１に対してＡＳＮ−ＧＷ２０１−１がＡｎｃｈｏｒ機能を果たし、またＡＳＮ−ＧＷ２０１−２がＳｅｒｖｉｎｇ機能を果たし、またＡＳＮ−ＧＷ２０１−３がＡｕｔｈｅｎｔｉｃａｔｏｒ機能を果たすものである旨を示している。また、ＭＳ識別情報ＭＳ４０１−２と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−１と、Ａｕｔｈｅｎｔｉｃａｔｏｒ  ＡＳＮ−ＧＷ識別情報ＡＳＮ−ＧＷ２０１−１とが対応付けられて格納されている。これは、ＭＳ４０１−１に対してＡＳＮ−ＧＷ２０１−１がＡｎｃｈｏｒ機能、Ｓｅｒｖｉｎｇ機能およびＡｕｔｈｅｎｔｉｃａｔｏｒ機能を果たすものである旨を示している。また、ＭＳ識別情報ＭＳ４０１−３と、Ａｎｃｈｏｒ  ＡＳＮ−ＧＷ識別情報ＡＳＮ−ＧＷ２０１−１と、Ｓｅｒｖｉｎｇ  ＡＳＮ−ＧＷ識別情報ＡＳＮ−ＧＷ２０１−２と、Ａｕｔｈｅｎｔｉｃａｔｏｒ  ＡＳＮ−ＧＷ識別情報ＡＳＮ−ＧＷ２０１−２とが対応付けられて格納されている。これは、ＭＳ４０１−３に対してＡＳＮ−ＧＷ２０１−１がＡｎｃｈｏｒ機能を果たし、またＡＳＮ−ＧＷ２０１−２がＳｅｒｖｉｎｇ機能およびＡｕｔｈｅｎｔｉｃａｔｏｒ機能を果たすものである旨を示している。【００７３】
この処理対応付け情報は、上述した起動時に格納された後、管理装置１０１からＡＳＮ−ＧＷ２０１−１〜２０１−ｎが保有するＭＳ管理情報があらかじめ設定された周期で読み取られる（取得される）ことにより、変更されるものであっても良い。また、異なるＡＳＮ−ＧＷを跨ぐようなハンドオーバ（Ｒ４ＨＯ）が実施された後や、Ｒ４ＨＯ後の再認証が実施された後等、各ＡＳＮ−ＧＷ２０１−１〜２０１−ｎがそれぞれ果たす機能（役割）に変更が生じたことにより、ＡＳＮ−ＧＷ２０１−１〜２０１−ｎからの通知があったときにあらかじめ設定されたタイミングで変更されるものであっても良い。【００７４】
解放指示信号作成部１１４は、検索部１１２が検索した結果に基づいて、該当するＡＳＮ−ＧＷへ該当するＭＳのリソースを解放する旨を示す解放指示信号を作成し、作成した解放指示信号を通信部１１１へ出力する。【００７５】
以下に、１つのＭＳ（例えば、ＭＳ４０１−１）に対して、Ａｎｃｈｏｒ機能、Ｓｅｒｖｉｎｇ機能およびＡｕｔｈｅｎｔｉｃａｔｏｒ機能を果たすＡＳＮ−ＧＷ２０１−１〜２０１−ｎの状態遷移について説明する。【００７６】
図８は、１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷ２０１−１〜２０１−ｎの状態遷移の第１の例を示す図である。【００７７】
まず、ＭＳ４０１−１がＡＳＮ−ＧＷ２０１−１配下に存在する場合、ＭＳ４０１−１に対して、ＡＳＮ−ＧＷ２０１−１が、Ａｎｃｈｏｒ機能、Ｓｅｒｖｉｎｇ機能およびＡｕｔｈｅｎｔｉｃａｔｏｒ機能を果たす（状態Ａ１）。つまり、状態Ａ１において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷ、且つＡｕｔｈｅｎｔｉｃａｔｏｒ  ＡＳＮ−ＧＷとなる。【００７８】
ここで、ＭＳ４０１−１がＡＳＮ−ＧＷ２０１−１配下からＡＳＮ−ＧＷ２０１−２配下へ移動することによりＲ４ＨＯが発生すると、ＭＳ４０１−１に対するＳｅｒｖｉｎｇ機能がＡＳＮ−ＧＷ２０１−１からＡＳＮ−ＧＷ２０１−２へ移動する（状態Ａ２）。つまり、状態Ａ２において、ＭＳ４０１−１にとって、ＡＳＮ−ＧＷ２０１−１が、Ａｎｃｈｏｒ  ＡＳＮ−ＧＷ、且つＡｕｔｈｅｎｔｉｃａｔｏｒ  ＡＳＮ−ＧＷとなる。また、ＡＳＮ−ＧＷ２０１−２が、Ｓｅｒｖｉｎｇ  ＡＳＮ−ＧＷとなる。【００７９】
続いて、ＭＳ４０１−１の再認証が行われると、ＭＳ４０１−１に対するＡｕｔｈｅｎｔｉｃａｔｏｒ機能がＡＳＮ−ＧＷ２０１−１からＡＳＮ−ＧＷ２０１−２へ移動する（状態Ａ３）。つまり、状態Ａ３において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷ、且つＳｅｒｖｉｎｇ  ＡＳＮ−ＧＷとなる。【００８０】
その後、さらにＭＳ４０１−１がＡＳＮ−ＧＷ２０１−２配下からＡＳＮ−ＧＷ２０１−１配下へ移動することによりＲ４ＨＯが発生すると、ＭＳ４０１−１に対するＳｅｒｖｉｎｇ機能がＡＳＮ−ＧＷ２０１−２からＡＳＮ−ＧＷ２０１−１へ移動する（状態Ａ４）。つまり、状態Ａ４において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷとなる。また、ＡＳＮ−ＧＷ２０１−２が、Ａｕｔｈｅｎｔｉｃａｔｏｒ  ＡＳＮ−ＧＷとなる。【００８１】
図９は、１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷ２０１−１〜２０１−ｎの状態遷移の第２の例を示す図である。【００８２】
まず、ＭＳ４０１−１がＡＳＮ−ＧＷ２０１−１配下に存在する場合、ＭＳ４０１−１に対して、ＡＳＮ−ＧＷ２０１−１が、Ａｎｃｈｏｒ機能、Ｓｅｒｖｉｎｇ機能およびＡｕｔｈｅｎｔｉｃａｔｏｒ機能を果たす（状態Ａ１１）。つまり、状態Ａ１１において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷ、且つＡｕｔｈｅｎｔｉｃａｔｏｒ  ＡＳＮ−ＧＷとなる。【００８３】
ここで、ＭＳ４０１−１がＡＳＮ−ＧＷ２０１−１配下からＡＳＮ−ＧＷ２０１−２配下へ移動することによりＲ４ＨＯが発生すると、ＭＳ４０１−１に対するＳｅｒｖｉｎｇ機能がＡＳＮ−ＧＷ２０１−１からＡＳＮ−ＧＷ２０１−２へ移動する（状態Ａ１２）。つまり、状態Ａ１２において、ＭＳ４０１−１にとって、ＡＳＮ−ＧＷ２０１−１が、Ａｎｃｈｏｒ  ＡＳＮ−ＧＷ、且つＡｕｔｈｅｎｔｉｃａｔｏｒ  ＡＳＮ−ＧＷとなる。また、ＡＳＮ−ＧＷ２０１−２が、Ｓｅｒｖｉｎｇ  ＡＳＮ−ＧＷとなる。【００８４】
続いて、ＭＳ４０１−１の再認証が行われると、ＭＳ４０１−１に対するＡｕｔｈｅｎｔｉｃａｔｏｒ機能がＡＳＮ−ＧＷ２０１−１からＡＳＮ−ＧＷ２０１−２へ移動する（状態Ａ１３）。つまり、状態Ａ１３において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷ、且つＳｅｒｖｉｎｇ  ＡＳＮ−ＧＷとなる。【００８５】
その後、ＭＳ４０１−１がＡＳＮ−ＧＷ２０１−２配下からＡＳＮ−ＧＷ２０１−３配下へ移動することによりＲ４ＨＯが発生すると、ＭＳ４０１−１に対するＳｅｒｖｉｎｇ機能がＡＳＮ−ＧＷ２０１−２からＡＳＮ−ＧＷ２０１−３へ移動する（状態Ａ１４）。つまり、状態Ａ１４において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷとなる。また、ＡＳＮ−ＧＷ２０１−３が、Ｓｅｒｖｉｎｇ  ＡＳＮ−ＧＷとなる。【００８６】
さらに、ＭＳ４０１−１がＡＳＮ−ＧＷ２０１−３配下からＡＳＮ−ＧＷ２０１−１配下へ移動することによりＲ４ＨＯが発生すると、ＭＳ４０１−１に対するＳｅｒｖｉｎｇ機能がＡＳＮ−ＧＷ２０１−３からＡＳＮ−ＧＷ２０１−１へ移動する（状態Ａ１５）。つまり、状態Ａ１５において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷとなる。また、ＡＳＮ−ＧＷ２０１−２が、Ａｕｔｈｅｎｔｉｃａｔｏｒ  ＡＳＮ−ＧＷとなる。【００８７】
図１０は、１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷ２０１−１〜２０１−ｎの状態遷移の第３の例を示す図である。【００８８】
まず、ＭＳ４０１−１がＡＳＮ−ＧＷ２０１−１配下に存在する場合、ＭＳ４０１−１に対して、ＡＳＮ−ＧＷ２０１−１が、Ａｎｃｈｏｒ機能、Ｓｅｒｖｉｎｇ機能およびＡｕｔｈｅｎｔｉｃａｔｏｒ機能を果たす（状態Ａ２１）。つまり、状態Ａ２１において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷ、且つＡｕｔｈｅｎｔｉｃａｔｏｒ  ＡＳＮ−ＧＷとなる。【００８９】
ここで、ＭＳ４０１−１がＡＳＮ−ＧＷ２０１−１配下からＡＳＮ−ＧＷ２０１−２配下へ移動することによりＲ４ＨＯが発生すると、ＭＳ４０１−１に対するＳｅｒｖｉｎｇ機能がＡＳＮ−ＧＷ２０１−１からＡＳＮ−ＧＷ２０１−２へ移動する（状態Ａ２２）。つまり、状態Ａ２２において、ＭＳ４０１−１にとって、ＡＳＮ−ＧＷ２０１−１が、Ａｎｃｈｏｒ  ＡＳＮ−ＧＷ、且つＡｕｔｈｅｎｔｉｃａｔｏｒ  ＡＳＮ−ＧＷとなる。また、ＡＳＮ−ＧＷ２０１−２が、Ｓｅｒｖｉｎｇ  ＡＳＮ−ＧＷとなる。【００９０】
続いて、ＭＳ４０１−１の再認証が行われると、ＭＳ４０１−１に対するＡｕｔｈｅｎｔｉｃａｔｏｒ機能がＡＳＮ−ＧＷ２０１−１からＡＳＮ−ＧＷ２０１−２へ移動する（状態Ａ２３）。つまり、状態Ａ２３において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷ、且つＳｅｒｖｉｎｇ  ＡＳＮ−ＧＷとなる。【００９１】
その後、ＭＳ４０１−１がＡＳＮ−ＧＷ２０１−２配下からＡＳＮ−ＧＷ２０１−３配下へ移動することによりＲ４ＨＯが発生すると、ＭＳ４０１−１に対するＳｅｒｖｉｎｇ機能がＡＳＮ−ＧＷ２０１−２からＡＳＮ−ＧＷ２０１−３へ移動する（状態Ａ２４）。つまり、状態Ａ２４において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷとなる。また、ＡＳＮ−ＧＷ２０１−３が、Ｓｅｒｖｉｎｇ  ＡＳＮ−ＧＷとなる。【００９２】
さらに、ＭＳ４０１−１がＡＳＮ−ＧＷ２０１−３配下からＡＳＮ−ＧＷ２０１−４配下へ移動することによりＲ４ＨＯが発生すると、ＭＳ４０１−１に対するＳｅｒｖｉｎｇ機能がＡＳＮ−ＧＷ２０１−３からＡＳＮ−ＧＷ２０１−４へ移動する（状態Ａ２５）。つまり、状態Ａ２５において、ＭＳ４０１−１にとって、ＡＳＮ−ＧＷ２０１−１が、Ａｎｃｈｏｒ  ＡＳＮ−ＧＷとなる。また、ＡＳＮ−ＧＷ２０１−２が、Ａｕｔｈｅｎｔｉｃａｔｏｒ  ＡＳＮ−ＧＷとなる。また、ＡＳＮ−ＧＷ２０１−４が、Ｓｅｒｖｉｎｇ  ＡＳＮ−ＧＷとなる。【００９３】
図１１は、１つのＭＳに対して、Ａｎｃｈｏｒ機能、Ｓｅｒｖｉｎｇ機能およびＡｕｔｈｅｎｔｉｃａｔｏｒ機能を果たすＡＳＮ−ＧＷ２０１−１〜２０１−ｎの状態遷移の第４の例を示す図である。【００９４】
まず、ＭＳ４０１−１がＡＳＮ−ＧＷ２０１−１配下に存在する場合、ＭＳ４０１−１に対して、ＡＳＮ−ＧＷ２０１−１が、Ａｎｃｈｏｒ機能、Ｓｅｒｖｉｎｇ機能およびＡｕｔｈｅｎｔｉｃａｔｏｒ機能を果たす（状態Ａ３１）。つまり、状態Ａ３１において、ＭＳ４０１−１にとって、ＡＳＮ−ＧＷ２０１−１が、Ａｎｃｈｏｒ  ＡＳＮ−ＧＷ、且つＳｅｒｖｉｎｇ  ＡＳＮ−ＧＷ、且つＡｕｔｈｅｎｔｉｃａｔｏｒ  ＡＳＮ−ＧＷとなる。【００９５】
ここで、ＭＳ４０１−１がＡＳＮ−ＧＷ２０１−１配下からＡＳＮ−ＧＷ２０１−２配下へ移動することによりＲ４ＨＯが発生すると、ＭＳ４０１−１に対するＳｅｒｖｉｎｇ機能がＡＳＮ−ＧＷ２０１−１からＡＳＮ−ＧＷ２０１−２へ移動する（状態Ａ３２）。つまり、状態Ａ３２において、ＭＳ４０１−１にとって、ＡＳＮ−ＧＷ２０１−１が、Ａｎｃｈｏｒ  ＡＳＮ−ＧＷ、且つＡｕｔｈｅｎｔｉｃａｔｏｒ  ＡＳＮ−ＧＷとなる。また、ＡＳＮ−ＧＷ２０１−２が、Ｓｅｒｖｉｎｇ  ＡＳＮ−ＧＷとなる。【００９６】
その後、さらにＭＳ４０１−１がＡＳＮ−ＧＷ２０１−２配下からＡＳＮ−ＧＷ２０１−３配下へ移動することによりＲ４ＨＯが発生すると、ＭＳ４０１−１に対するＳｅｒｖｉｎｇ機能がＡＳＮ−ＧＷ２０１−２からＡＳＮ−ＧＷ２０１−３へ移動する（状態Ａ３３）。つまり、状態Ａ３３において、ＭＳ４０１−１にとって、ＡＳＮ−ＧＷ２０１−１が、Ａｎｃｈｏｒ  ＡＳＮ−ＧＷ、且つＡｕｔｈｅｎｔｉｃａｔｏｒ  ＡＳＮ−ＧＷとなる。また、ＡＳＮ−ＧＷ２０１−３が、Ｓｅｒｖｉｎｇ  ＡＳＮ−ＧＷとなる。【００９７】
以上説明したように、ＭＳ４０１−１が移動することにより発生するＲ４ＨＯおよび再認証に応じて、論理的に分かれているＡｎｃｈｏｒ  ＡＳＮ−ＧＷと、Ｓｅｒｖｉｎｇ  ＡＳＮ−ＧＷと、Ａｕｔｈｅｎｔｉｃａｔｏｒ  ＡＳＮ−ＧＷとが、物理的に異なるＡＳＮ−ＧＷに分散される。【００９８】
以下に、図１に示したＡＳＮ−ＧＷ２０１−１〜２０１−ｎにおける障害発生通知処理について説明する。ここでは、ＡＳＮ−ＧＷ２０１−１における障害発生通知処理を例に挙げて説明する。【００９９】
図１２は、図１に示したＡＳＮ−ＧＷ２０１−１における障害発生通知処理の一例を説明するためのフローチャートである。【０１００】
まず、障害検出部２１２にてサービス提供部２１１でサービスを提供することができない障害（サービス停止）が発生していることがステップ１にて検出されると、その旨が障害検出部２１２から障害発生信号作成部２１３へ出力される。【０１０１】
すると、ステップ２にて障害発生信号作成部２１３において、サービス提供部２１１で障害が発生したことを示す障害発生信号が作成される。このとき、障害発生信号には、ＡＳＮ−ＧＷ２０１−１のＡＳＮ−ＧＷ識別情報が含まれる。【０１０２】
作成された障害発生信号は、ステップ３にて障害発生信号作成部２１３から通信部２１４を介して管理装置１０１へ送信される。【０１０３】
以下に、図１に示した管理装置１０１におけるＡＳＮ−ＧＷ２０１−１〜２０１−ｎの管理方法について説明する。【０１０４】
図１３は、図１に示した管理装置１０１におけるＡＳＮ−ＧＷ２０１−１〜２０１−ｎの管理方法の一例を説明するためのフローチャートである。ここでは、ＡＳＮ−ＧＷ２０１−２に障害が発生した場合を例に挙げて説明する。また、ＡＳＮ−ＧＷ２０１−１〜２０１−ｎにて障害が発生した旨を通知するための障害発生信号には、通知元のＡＳＮ−ＧＷ２０１−１〜２０１−ｎの識別情報が含まれている。【０１０５】
まず、ステップ１１にて管理装置１０１の通信部１１１にて障害発生信号が受信されると、受信された障害発生信号が識別情報抽出部１１５へ出力される。【０１０６】
すると、ステップ１２にて識別情報抽出部１１５によって障害発生信号からＡＳＮ−ＧＷ２０１−２の識別情報が抽出される。抽出されたＡＳＮ−ＧＷ２０１−２の識別情報は、識別情報抽出部１１５から検索部１１２へ出力される。【０１０７】
続いて、検索部１１２にてＡＳＮ−ＧＷ２０１−２の識別情報に基づいて、ステップ１３にて管理テーブル１１３からＡＳＮ−ＧＷ２０１−２配下のＭＳ（ＭＳ識別情報）が検索される。【０１０８】
図７に示した管理テーブル１１３の例の場合、ＡＳＮ−ＧＷ２０１−２配下のＭＳは、ＭＳ４０１−１およびＭＳ４０１−３であるため、ＭＳ４０１−１およびＭＳ４０２−３が検索される。【０１０９】
また、検索されたＭＳ４０１−１またはＭＳ４０１−３を処理しているＡＳＮ−ＧＷがステップ１４にて検索される。図７に示した管理テーブル１１３の例の場合、ＡＳＮ−ＧＷ２０１−１およびＡＳＮ−ＧＷ２０１−３が検索される。【０１１０】
そして、検索されたＡＳＮ−ＧＷ２０１−１およびＡＳＮ−ＧＷ２０１−３へＭＳ４０１−１およびＭＳ４０１−３を処理するために確保しているリソースの解放を指示する解放指示信号がステップ１５にて解放指示信号作成部１１４によって作成される。この解放指示信号は、送信先（検索されたＡＳＮ−ＧＷ２０１−１およびＡＳＮ−ＧＷ２０１−３）の情報と、リソースを解放する対象であるＭＳのＭＳ識別情報（ＭＳ４０１−１およびＭＳ４０１−３）と、確保しているリソースの解放を指示する旨を示す情報とが含まれているものであれば良く、その信号形式についてはここでは特に規定しない。【０１１１】
解放指示信号作成部１１４にて解放指示信号が作成されると、作成された解放指示信号がステップ１６にて通信部１１１から送信先であるＡＳＮ−ＧＷ２０１−１およびＡＳＮ−ＧＷ２０１−３へ送信される。【０１１２】
以下に、ステップ１６にて解放指示信号が送信されたＡＳＮ−ＧＷ２０１−１，２０１−３におけるリソース解放処理について説明する。ここでは、ＡＳＮ−ＧＷ２０１−１におけるリソース解放処理を例に挙げて説明する。【０１１３】
図１４は、図１に示したＡＳＮ−ＧＷ２０１−１におけるリソース解放処理の一例を説明するためのフローチャートである。【０１１４】
管理装置１０１から送信された解放指示信号がステップ２１にてＡＳＮ−ＧＷ２０１−１の通信部２１４において受信されると、受信された解放指示信号からＭＳ識別情報がステップ２２にて管理テーブル更新部２１６によって抽出される。ここで、管理装置１０１から送信されてきた解放指示信号には、ＭＳ識別情報として、ＭＳ４０１−１およびＭＳ４０１−３が含まれている。【０１１５】
すると、抽出されたＭＳ識別情報に対応するＭＳのリソースがステップ２３にてリソース管理部２１７によって解放される。ここでは、ＭＳ４０１−１およびＭＳ４０１−３のリソースが解放される。そして、管理テーブル更新部２１６によって、管理テーブル２１５からＭＳ４０１−１およびＭＳ４０１−３に対応するＭＳ管理情報が削除される。【０１１６】
また、ＡＳＮ−ＧＷ２０１−１〜２０１−ｎにて障害が発生したかどうかを、管理装置１０１から周期的な監視（Ｐｏｌｌｉｎｇ等）を用いて認識するものであっても良い。【０１１７】
図１５は、図１に示した管理装置１０１の内部構成の他の例を示す図である。【０１１８】
図１に示した管理装置１０１には図１５に示すように、通信部１１１と、検索部１１２と、管理テーブル１１３と、解放指示信号作成部１１４と、障害監視部１１６とが設けられている。図６に示した管理装置１０１の内部構成の例の「識別情報抽出部１１５」が「障害監視部１１６」に置き換わっている。【０１１９】
障害監視部１１６は、ＡＳＮ−ＧＷ２０１−１〜２０１−ｎにて障害が発生したかどうかを周期的に監視する。この監視方法は、対向装置の監視で一般的に行われる方法であれば良く、ＡＳＮ−ＧＷ２０１−１〜２０１−ｎに設けられた所定のレジスタ（ビット）を監視するものであっても良く、また、要求／応答信号によるものであっても良い。そして、監視の結果、障害が発生していると認識したＡＳＮ−ＧＷ２０１−１〜２０１−ｎのＡＳＮ−ＧＷ識別情報を検索部１１２へ出力する。【０１２０】
検索部１１２は、障害監視部１１６から出力されたＡＳＮ−ＧＷ識別情報に基づいて、管理テーブル１１３の中から障害が発生したＡＳＮ−ＧＷが処理を行っているＭＳおよび当該ＭＳに対して他の処理を行っているＡＳＮ−ＧＷを検索する。【０１２１】
その他の構成要素の動作については、図示した管理装置１０１の内部構成の例と同じである。【０１２２】
図１６は、図１に示した管理装置１０１におけるＡＳＮ−ＧＷ２０１−１〜２０１−ｎの管理方法の他の例を説明するためのフローチャートである。ここでの管理装置１０１の内部構成は、図１５に示したものである。また、上述した例と同様に、ＡＳＮ−ＧＷ２０１−２に障害が発生した場合を例に挙げて説明する。【０１２３】
管理装置１０１の障害監視部１１６によって通信部１１１を介してＡＳＮ−ＧＷ２０１−１〜２０１−ｎの障害（サービス停止状態であるかどうか）が監視される。例えば、障害監視部１１６から通信部１１１を介してＡＳＮ−ＧＷ２０１−１〜２０１−ｎへそれぞれ障害監視用の信号が一定の周期で送信され、その障害監視用の信号に対する応答がＡＳＮ−ＧＷ２０１−１〜２０１−ｎから送信されてくるかどうかに基づいて、ＡＳＮ−ＧＷ２０１−１〜２０１−ｎに障害が発生したかどうかがステップ３１にて認識される。この障害監視方法は、周期的に対向（接続）装置を監視する一般的なＰｏｌｌｉｎｇ等を用いたもので良い。【０１２４】
ステップ３１にてＡＳＮ−ＧＷ２０１−２に障害が発生したことが障害監視部１１６にて認識されると、認識されたＡＳＮ−ＧＷ２０１−２の識別情報が障害監視部１１６から検索部１１２へ出力される。【０１２５】
検索部１１２では、ＡＳＮ−ＧＷ２０１−２の識別情報に基づいて、ステップ３２にて管理テーブル１１３からＡＳＮ−ＧＷ２０１−２配下のＭＳ（ＭＳ識別情報）が検索される。【０１２６】
図７に示した管理テーブル１１３の例の場合、ＡＳＮ−ＧＷ２０１−２配下のＭＳは、ＭＳ４０１−１およびＭＳ４０１−３であるため、ＭＳ４０１−１およびＭＳ４０２−３が検索される。【０１２７】
また、検索されたＭＳ４０１−１またはＭＳ４０１−３を処理しているＡＳＮ−ＧＷがステップ３３にて検索される。図７に示した管理テーブル１１３の例の場合、ＡＳＮ−ＧＷ２０１−１およびＡＳＮ−ＧＷ２０１−３が検索される。【０１２８】
そして、検索されたＡＳＮ−ＧＷ２０１−１およびＡＳＮ−ＧＷ２０１−３へＭＳ４０１−１およびＭＳ４０１−３を処理するために確保しているリソースの解放を指示する解放指示信号がステップ３４にて解放指示信号作成部１１４によって作成される。この解放指示信号は、送信先（検索されたＡＳＮ−ＧＷ２０１−１およびＡＳＮ−ＧＷ２０１−３）の情報と、リソースを解放する対象であるＭＳのＭＳ識別情報（ＭＳ４０１−１およびＭＳ４０１−３）と、確保しているリソースの解放を指示する旨を示す情報とが含まれているものであれば良く、その信号形式についてはここでは特に規定しない。【０１２９】
解放指示信号作成部１１４にて解放指示信号が作成されると、作成された解放指示信号がステップ３５にて通信部１１１から送信先であるＡＳＮ−ＧＷ２０１−１およびＡＳＮ−ＧＷ２０１−３へ送信される。【０１３０】
なお、上述した管理装置１０１の処理は、目的に応じて作製された論理回路で行うようにしても良い。また、処理内容を手順として記述したプログラムを管理装置１０１にて読取可能な記録媒体に記録し、この記録媒体に記録されたプログラムを管理装置１０１に読み込ませ、実行するものであっても良い。管理装置１０１にて読取可能な記録媒体とは、フロッピーディスク（登録商標）、光磁気ディスク、ＤＶＤ、ＣＤなどの移設可能な記録媒体の他、管理装置１０１に内蔵されたＲＯＭ、ＲＡＭ等のメモリやＨＤＤ等を指す。この記録媒体に記録されたプログラムは、管理装置１０１内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。【０１３１】
以上説明したように、ＡＳＮ−ＧＷからサービスを受けていたＭＳにて、当該ＡＳＮ−ＧＷに障害が発生したことにより、サービスを受けることができなくなった場合、当該ＡＳＮ−ＧＷ以外で当該ＭＳに対して他のサービスを提供しているＡＳＮ−ＧＷ内のＭＳのリソースを解放する。これにより、無駄に確保されているリソースの解放を実現することができ、ハードウェアリソース枯渇のリスクを軽減することができる。また、ＭＳがＷｉＭＡＸ網内に再エントリ実施時に各ＡＳＮ−ＧＷでの管理情報の整合を取ることができる。【０１３２】
以上、実施の形態を参照して本願発明を説明したが、本願発明は上記実施の形態に限定されるものではない。本願発明の構成や詳細には、本願発明のスコープ内で当業者が理解し得る様々な変更をすることができる。【０１３３】
この出願は、２００８年４月１１日に出願された日本出願特願２００８−１０３５５１を基礎とする優先権を主張し、その開示の全てをここに取り込む。
【図１】
2009125679.tif 000003
【図２】
2009125679.tif 000004
【図３】
2009125679.tif 000005
【図４】
2009125679.tif 000006
【図５】
2009125679.tif 000007
【図６】
2009125679.tif 000008
【図７】
2009125679.tif 000009
【図８】
2009125679.tif 000010
【図９】
2009125679.tif 000011
【図１０】
2009125679.tif 000012
【図１１】
2009125679.tif 000013
【図１２】
2009125679.tif 000014
【図１３】
2009125679.tif 000015
【図１４】
2009125679.tif 000016
【図１５】
2009125679.tif 000017
【図１６】
2009125679.tif 000018
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
無線基地局を介して無線通信機能を具備した移動通信端末に対して複数のサービスを提供する複数のサービス提供装置と、前記複数のサービス提供装置と接続された管理装置とを有する通信システムにおいて、
前記管理装置は、前記複数のサービス提供装置のいずれかがサービス停止状態にあるか否かを検出し、前記サービス停止状態になったサービス提供装置以外のサービス提供装置に対して、前記サービス停止状態になったサービス提供装置がサービスを提供していた移動通信端末のリソースの解放を指示することを特徴とする通信システム。
【請求項２】
請求項１に記載の通信システムにおいて、
前記管理装置は、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を格納する管理テーブルと、
前記サービス提供装置がサービス停止状態にあるかどうかを監視する障害監視部と、
前記障害監視部にてサービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索する検索部と、
前記検索されたＭＳ識別情報が付与された移動通信端末のリソースを解放する指示である解放指示信号を作成する解放指示信号作成部と、
前記解放指示信号を前記検索されたＡＳＮ−ＧＷ識別情報が付与されたサービス提供装置へ送信する第１の通信部とを有し、
前記サービス提供装置は、
前記解放指示信号を受信した場合、該解放指示信号にて指示された移動通信端末のリソースを解放するリソース管理部を有することを特徴とする通信システム。
【請求項３】
請求項２に記載の通信システムにおいて、
前記サービス提供装置は、
前記サービスを提供するサービス提供部と、
前記サービス提供部がサービス停止状態になったことを検出する障害検出部と、
サービス停止状態になったことを前記障害検出部が検出した場合、当該サービス提供装置に付与されたＡＳＮ−ＧＷ識別情報を含む、前記障害が発生した旨を示す障害発生信号を作成する障害発生信号作成部と、
前記障害発生信号を前記管理装置へ送信する第２の通信部とを有し、
前記管理装置は、
前記サービス提供装置から送信されてきた前記障害発生信号から前記ＡＳＮ−ＧＷ識別情報を抽出する識別情報抽出部を有し、
前記検索部は、前記抽出されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索することを特徴とする通信システム。
【請求項４】
請求項２または請求項３に記載の通信システムにおいて、
前記管理装置は、前記サービス提供装置が管理する、該サービス提供装置がサービスを提供している移動通信端末に付与されたＭＳ識別情報と、該移動通信端末に対して各サービスをそれぞれ提供しているサービス提供装置に付与されたＡＳＮ−ＧＷ識別情報とを対応付けたＭＳ管理情報を、前記サービス提供装置から所定のタイミングで取得し、前記ＭＳ管理情報に基づいて前記処理対応付け情報を作成し、該処理対応付け情報を前記管理テーブルに格納することを特徴とする通信システム。
【請求項５】
無線基地局を介して無線通信機能を具備した移動通信端末に対して複数のサービスを提供する複数のサービス提供装置を管理する管理装置であって、
前記複数のサービス提供装置のいずれかがサービス停止状態にあるか否かを検出し、前記サービス停止状態になったサービス提供装置以外のサービス提供装置に対して前記サービス停止状態になったサービス提供装置がサービスを提供していた移動通信端末のリソースの解放を指示する管理装置。
【請求項６】
請求項５に記載の管理装置において、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を格納する管理テーブルと、
前記サービス提供装置がサービス停止状態にあるかどうかを監視する障害監視部と、
前記障害監視部にてサービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索し、検索されたＭＳ識別情報に基づいて該移動通信端末に対して前記サービス以外のサービスを提供しているサービス提供装置に付与されたＡＳＮ−ＧＷ識別情報を前記管理テーブルの中から検索する検索部と、
前記検索されたＭＳ識別情報が付与された移動通信端末のリソースを解放する指示である解放指示信号を作成する解放指示信号作成部と、
前記解放指示信号を前記検索されたＡＳＮ−ＧＷ識別情報が付与されたサービス提供装置へ送信する通信部とを有することを特徴とする管理装置。
【請求項７】
無線基地局を介して無線通信機能を具備した移動通信端末に対して複数のサービスを提供する複数のサービス提供装置を管理する管理方法であって、
前記複数のサービス提供装置のいずれかがサービス停止状態にあるか否かを検出するステップと、
前記サービス停止状態になったサービス提供装置以外のサービス提供装置に対して前記サービス停止状態になったサービス提供装置がサービスを提供していた移動通信端末のリソースの解放を指示するステップとを有する管理方法。
【請求項８】
請求項７に記載の管理方法において、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を管理テーブルに格納するステップと、
前記サービス提供装置がサービス停止状態にあるかどうかを監視するステップと、
サービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索するステップと、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索するステップと、
前記検索されたＭＳ識別情報が付与された移動通信端末のリソースを解放する指示である解放指示信号を作成するステップと、
前記解放指示信号を前記検索されたＡＳＮ−ＧＷ識別情報が付与されたサービス提供装置へ送信するステップとを有することを特徴とする管理方法。
【請求項９】
無線基地局を介して無線通信機能を具備した移動通信端末に対して複数のサービスを提供する複数のサービス提供装置を管理する管理装置に、
前記複数のサービス提供装置のいずれかがサービス停止状態にあるか否かを検出する手順と、
前記サービス停止状態になったサービス提供装置以外のサービス提供装置に対して前記サービス停止状態になったサービス提供装置がサービスを提供していた移動通信端末のリソースの解放を指示する手順とを実行させるためのプログラム。
【請求項１０】
請求項９に記載のプログラムにおいて、
前記移動通信端末に固有に付与されたＭＳ識別情報と、該移動通信端末に対して各サービスをそれぞれ提供しているサービス提供装置に固有に付与されたＡＳＮ−ＧＷ識別情報とを対応付けた処理対応付け情報を当該管理装置が具備する管理テーブルに格納する手順と、
前記サービス提供装置がサービス停止状態にあるかどうかを監視する手順と、
サービス停止状態にあると認識されたサービス提供装置に付与されたＡＳＮ−ＧＷ識別情報に基づいて、該ＡＳＮ−ＧＷ識別情報と対応付けられたＭＳ識別情報を前記管理テーブルの中から検索する手順と、
前記検索されたＭＳ識別情報に基づいて該移動通信端末に対して前記サービス以外のサービスを提供しているサービス提供装置に付与されたＡＳＮ−ＧＷ識別情報を前記管理テーブルの中から検索する手順と、
前記検索されたＭＳ識別情報が付与された移動通信端末のリソースを解放する指示である解放指示信号を作成する手順と、
前記解放指示信号を前記検索されたＡＳＮ−ＧＷ識別情報が付与されたサービス提供装置へ送信する手順とを当該管理装置に実行させるためのプログラム。
【国際調査報告】
2009125679.tif 000019
2009125679.tif 000020